(57)【要約】【課題】端子二重係止部材の操作部の引っ掛け等による変形や破損を防ぎ、しかも操作部の移動操作をスムーズ且つ確実に行わせる。【解決手段】二重係止コネクタ４５の操作部５１を、端子二重係止部材５０から各立ち上げ辺部９０ａ，９１ａを介して後方に延びる左右の幅狭の可撓性の辺部９１及びスライド係合部としての中間の幅広の板部９０と、左右の辺部に設けられた左右の係止部９６と、左右の辺部と板部との後端に立ち上げ辺部９２，９３を介して連結され、左右のガイド部４９を進入させる後部開口９５ａを有する操作辺部９４とで構成し、ガイド部に板部をスライド係合させ、板部と操作辺部との間にガイド部の押え部４９ｂを位置させ、左右の辺部の外側に配設した被係止部５９に係止部を係合させる。【選択図】図１
2010272535.tif 000002
【特許請求の範囲】
【請求項１】
コネクタハウジングに前方から端子二重係止部材が挿着され、該端子二重係止部材の上側の操作部が該コネクタハウジングの外側に露出し、該操作部にスライド係合部が設けられ、該コネクタハウジングの上側の外壁に、該スライド係合部の外側に位置する押え部を有するガイド部が設けられ、該押え部で該操作部の上向きの変位が阻止される二重係止コネクタであって、
前記操作部が、前記端子二重係止部材から各立ち上げ辺部を介して後方に延びる左右の幅狭の可撓性の辺部及び前記スライド係合部としての中間の幅広の板部と、該左右の辺部に設けられた左右の係止部と、該左右の辺部と該板部との後端に立ち上げ辺部を介して連結され、左右の前記ガイド部を進入させる後部開口を有する操作辺部とで構成され、該ガイド部に該板部がスライド係合し、該板部と該操作辺部との間に該ガイド部の前記押え部が位置し、該左右の辺部の外側に配設された被係止部に該係止部が係合することを特徴とする二重係止コネクタ。
【発明の詳細な説明】
【技術分野】
【０００１】
本発明は、コネクタハウジング内に収容した端子を二重係止部材で抜け止めさせる二重係止コネクタに関するものである。
【背景技術】
【０００２】
図７〜図１０は従来の二重係止コネクタの一形態を示すものである（特許文献１参照）。
【０００３】
この二重係止コネクタ６１は、合成樹脂製のコネクタハウジング６２と、コネクタハウジング内にコネクタ嵌合室６３の前部開口から挿着される合成樹脂製のフロントホルダ（二重係止部材）６４と、コネクタハウジング６２へのフロントホルダ６４の仮係止状態で後方からコネクタハウジング内に挿入される電線付きの端子６５とで構成されている。
【０００４】
図８の如く、コネクタハウジング６２の端子収容室に端子６５を挿入すると同時に、コネクタハウジング内の可撓性の係止ランス６６が端子６５を係止させ、その後、フロントホルダ６４を後方に押し込むことで、図９の如く、フロントホルダ６４の二重係止板６７が係止ランス６６の撓み空間に進入して、係止ランス６６の撓みを防いで端子６５を二重係止させ、それと同時にフロントホルダ６４がコネクタハウジング６２に本係止される。図８はフロントホルダ６４の仮係止状態、図７，図９はフロントホルダ６４の本係止状態を示している。
【０００５】
本例のフロントホルダ６４は枠状部６８（図７）の上側に可撓性の係止アーム６９を有し、枠状部６８の左右両側に一対の枠片板状の操作部７０（図７）を有している。操作部７０はコネクタハウジング６２の側壁の水平な溝部７１内を前後にスライドする。
【０００６】
図８の如く係止アーム６９の突起７２がコネクタハウジング６２の上壁の突起７３の前側に位置した状態でフロントホルダ６４が仮係止され、仮係止の状態から操作部７０を後方に引くことで、突起７２が突起７３を乗り越えてフロントホルダ６４が前方に抜け出しなく本係止される。フロントホルダ６４を本係止から仮係止に移行させる際には操作部７０を前方へ押す。操作部７０の操作は、コネクタハウジング６２を一方の手で持ち、左右一対の操作部７０を他方の手の例えば親指と人差し指で把持して後方へ引くないし前方へ押すことで行われる。
【０００７】
本例のフロントホルダ６４の二重係止板６７杆は端子収容室の数に対応して枠状部６８の下辺部と中間辺部とから後方に向けて複数水平に突設されている。コネクタハウジング６２は前後二段に端子収容室を有し、下壁と中間壁との下面の後部から前方に向けて係止ランス６６が突設されている。端子６５は雄端子であり、コネクタハウジング６２の端子収容部７４の前壁の孔部から雄端子６５のタブ状接触部６５ａがコネクタ嵌合室６３に突出し、孔部の下側の開口から仮係止時にフロントホルダ６４の二重係止板６７が端子収容部７４内に挿入され、前壁に沿って本係止時にフロントホルダ６４の枠状部６８が係合される。
【０００８】
コネクタ嵌合室６３はフード部内に形成され、フード部７５は端子収容部７４に一体に続いている。フード部７５の上側に相手コネクタ（図示せず）の可撓性のロックアームを進入させる空間と、ロックアームの突起を係合させる突起が設けられている。フード部７５の左右の後壁に操作部７０を挿通させる開口が設けられ、開口はコネクタ嵌合室６３に連通している。
【０００９】
図１０は、従来の二重係止コネクタの他の形態を示すものであり（特許文献１参照）、この二重係止コネクタ７６はフロントホルダ（二重係止部材）７７の左右両側の操作部７９に係止手段である仮係止突起８０と本係止突起８１を設けた点で前記形態のものとは相違している。他の部分は概ね同じである。
【００１０】
操作部７９は横長枠状に形成され、可撓性の上下の辺部に仮係止突起８０と本係止突起８１が設けられている。各突起８０，８１に対してコネクタハウジング７８の両側壁の溝部内に仮係止突起８２と本係止突起８３が設けられている。操作部７９は前側の枠状部８４から端子二重係止板８５と同方向に突設されている。
【００１１】
上記各二重係止コネクタ６１，７６は複数本の電線や各電線の他端末に配設されたコネクタと共にサブワイヤハーネスを構成し、サブワイヤハーネスが複数組み合わされてワイヤハーネスが構成される。
【先行技術文献】
【特許文献】
【００１２】
【特許文献１】特開平９−２５１８７４号公報（図２〜図４）
【発明の概要】
【発明が解決しようとする課題】
【００１３】
しかしながら、上記従来の二重係止コネクタにあっては、例えばワイヤハーネスの製造過程や車両等への組付時等において、フロントホルダ（二重係止部材）６４，７７の操作部７０，７９に電線等が引っ掛かり、操作部７０，７９が外側に強く撓ませられて変形や破損を起こすという懸念があった。また、フロントホルダ６４，７７の操作時に操作部７０，７９を指で強く上側又は下側にこじるように押圧した場合に、操作部７０，７９がコネクタハウジング６２，７８の溝部から外れて同様に変形や破損を起こしたり、破損しないまでも操作性が悪化するといった懸念があった。
【００１４】
本発明は、上記した点に鑑み、端子二重係止部材の操作部を引っ掛けたりこじったりしても変形や破損させることがなく、しかも操作部の移動操作をスムーズ且つ確実に行わせることのできる二重係止コネクタを提供することを目的とする。
【課題を解決するための手段】
【００１５】
上記目的を達成するために、本発明の請求項１に係る二重係止コネクタは、コネクタハウジングに前方から端子二重係止部材が挿着され、該端子二重係止部材の上側の操作部が該コネクタハウジングの外側に露出し、該操作部にスライド係合部が設けられ、該コネクタハウジングの上側の外壁に、該スライド係合部の外側に位置する押え部を有するガイド部が設けられ、該押え部で該操作部の上向きの変位が阻止される二重係止コネクタであって、前記操作部が、前記端子二重係止部材から各立ち上げ辺部を介して後方に延びる左右の幅狭の可撓性の辺部及び前記スライド係合部としての中間の幅広の板部と、該左右の辺部に設けられた左右の係止部と、該左右の辺部と該板部との後端に立ち上げ辺部を介して連結され、左右の前記ガイド部を進入させる後部開口を有する操作辺部とで構成され、該ガイド部に該板部がスライド係合し、該板部と該操作辺部との間に該ガイド部の前記押え部が位置し、該左右の辺部の外側に配設された被係止部に該係止部が係合することを特徴とする。
【００１６】
上記構成により、端子二重係止部材をコネクタハウジングにスライド式に挿着（装着）した際に端子二重係止部材の操作部がコネクタハウジングの外側に露出するが、挿着に伴って操作部のスライド係合部がコネクタハウジングの外壁のガイド部にスライド式に係合し、ガイド部の押え部がスライド係合部の外側に位置してスライド自在に当接し、スライド係合部の外向きの変位を阻止する。これにより、操作部に電線が引っ掛かったり、操作部をこじるように操作した場合でも、操作部の変形が防止され、スムーズなスライド操作が可能となる。ガイド部としては、断面Ｌ字状やＴ字状のレールや溝部等を適用することができる。二重係止部材としてはフロントホルダやリヤホルダを適用することができる。押え部を有するガイド部はスライド係合部を包み込むように、あるいは囲むように保持することが好ましい。端子二重係止とは、端子を一次係止する係止ランスの撓みを阻止したり、あるいは端子を直接係止してもよい。操作部の中央の板部と両側の辺部とが操作辺部で相互に連結されることで、操作部の剛性が高まり、長い操作辺部と共にスライド操作性が向上する。
【発明の効果】
【００１７】
請求項１記載の発明によれば、スライド係合部がガイド部の押え部にスライド自在に当接して、コネクタハウジングに対して端子二重係止部材の操作部の外開きが阻止されるから、電線が操作部に強く引っ掛かった場合でも、操作部の有害な変形や破損が確実に防止される。また、作業者が操作部をこじるように引きないし押し操作した場合でも、スライド係合部がガイド部に沿ってスムーズにスライドして、端子二重係止部材の挿着や離脱操作をスムーズ且つ確実に行うことができる。また、操作部の中央の板部と両側の辺部とを操作辺部で相互に連結して操作部の剛性を高めることで、長い操作辺部との相乗効果で操作部のスライド操作性が向上する。
【図面の簡単な説明】
【００１８】
【図１】本発明に係る二重係止コネクタの一実施形態を示す斜視図である。
【図２】同じく二重係止コネクタの上部を切欠して示す斜視図である。
【図３】同じく二重係止コネクタの中間部を切欠して示す斜視図である。
【図４】二重係止コネクタの操作部とその保持構造を示す縦断面図である。
【図５】二重係止コネクタの仮係止手段を示す斜視図である。
【図６】二重係止コネクタの組立状態を示す縦断面図である。
【図７】従来の二重係止コネクタの一形態を示す斜視図である。
【図８】同じく従来の二重係止コネクタのフロントホルダの仮係止状態を示す縦断面図である。
【図９】同じくフロントホルダの本係止状態を示す縦断面図である。
【図１０】従来の二重係止コネクタの他の形態を示す分解斜視図である。
【発明を実施するための形態】
【００１９】
図１〜図６は、本発明に係る二重係止コネクタの一実施形態を示すものである。
【００２０】
この二重係止コネクタ４５は、合成樹脂製のコネクタハウジング４６の両側壁４７ではなく幅広の水平な上壁（外壁）４８にガイドレール（ガイド部）４９を一体に設け、合成樹脂製のフロントホルダ（端子二重係止部材）５０の両側ではなく上部前端から後方に向けて水平に操作部５１を突出形成して、操作部５１の中間板部（板部又はスライド係合部）９０をガイドレール４９内にスライド自在に係合させるものである。
【００２１】
ガイドレール内に操作部５１の一部分をスライド係合させることで、操作部５１の外開きを阻止する。本例のコネクタハウジング４６は端子収容室５２を単段に配置して薄型に形成されており、フロントホルダ５０の主体部（操作部５１を除く部分５３（図３））は概略板状に形成されている。
【００２２】
図１の如く、コネクタハウジング４６の後半の端子収容部５４において、上壁４８の幅方向中央に左右一対のガイドレール４９が対称に設けられ、一対のガイドレール４９の後端部は連結壁５５で相互に連結されている。
【００２３】
各ガイドレール４９は、図４にも示す如く、上壁４８に直交する垂直な支持壁（支持部）４９ａと、支持壁４９ａの上端に直交して内向きに突出した押え壁（押え部又は当接部）４９ｂとで断面略Ｌ字状（鉤状）に屈曲形成され、上壁４８の外面とガイドレール４９の支持壁４９ａと押え壁４９ｂとで断面略コの字状に囲まれた内側の断面矩形状の空間がガイド溝５６（図４）として作用する。左右一対のガイドレール４９は後端の連結壁５５で補強されている。左右のガイドレール４９の間には横長の空間５７（図４）が形成されている。なお、上下左右の方向性は説明の便宜上のものであり、二重係止コネクタ４５の実使用方向と必ずしも一致するものではない。
【００２４】
一対のガイドレール４９の左右の外側には保護壁５８がコネクタハウジング４６の上壁４８から垂直に設けられ、保護壁５８の内面に係止用の突条（被係止部）５９が垂直に設けられている。保護壁５８はハウジング前半のフード部６０の垂直な後壁に直交して続いている。フード部６０の後壁にフロントホルダ５０の操作部５１を挿通させる開口８６が設けられている。
【００２５】
図１〜図３においてフロントホルダ５０はコネクタハウジング内に完全に押し込まれて本係止された状態となっている。フロントホルダ５０は、略板状の主体部５３と、主体部５３の前端上部から後方に立ち上げ延長された操作部５１とで構成され、主体部５３は複数の板状の端子二重係止部８７（図３）を並列に有している。二重係止部８７はスリット８８で分割され、スリット内にコネクタハウジング４６の端子収容部５４内の隔壁８９（図３）が挿入されて、フロントホルダ５０が左右方向のガタ付きなく位置決めされる。
【００２６】
フロントホルダ５０の操作部５１は、中央の幅広の中間板部（スライド係合部）９０と、中間板部９０の左右に平行に位置する幅狭な可撓性の左右の辺部９１と、中間板部９０の後端からほぼ垂直に立ち上げられたやや幅狭な立ち上げ辺部９２と、左右の辺部９１の後端から同じ幅でほぼ垂直に立ち上げられた立ち上げ辺部９３と、左右と中央の立ち上げ辺部９２，９３を水平に連結する後側の辺部（操作辺部）９４とで略矩形枠状に形成され、中間板部９０の前端側の垂直な立ち上げ辺部９０ａと、左右の辺部９１の前端側の垂直な立ち上げ辺部９１ａとがフロントホルダ５０の主体部５３の前端上部に直交して一体に続いている。中間板部９０と左右の辺部９１と後側の操作辺部９４とで略枠状の周辺部１０９が構成されている。
【００２７】
操作部５１の中間板部９０が左右一対のガイドレール４９内にスライド係合し、中間板部９０の上面（外面）が各ガイドレール４９の押え壁４９ｂの下面（内面）に当接することで、操作部５１の上方への外開きが防止されている。中間板部９０の後端側に続く立ち上げ辺部９２は中間板部９０よりも幅狭に形成されて、左右のガイドレール４９の押え壁４９ｂの間に進入自在となっている。本例においては中間板部９０の左右両側部を直接スライド部として用いている。
【００２８】
なお、本例（図１）において、中間板部９０の左右両側にリブ（図示せず）を突設し、リブをガイドレール４９内にスライド係合させるようにすることも可能である。リブは中間板部９０の板厚よりも薄いものであり、リブを用いることによって、ガイドレール４９の突出高さを低く抑えることができる。
【００２９】
図１の如く、操作部５１の後端の操作辺部９４はガイドレール４９の上面よりも少し高く突出して位置し、操作辺部９４と中央の立ち上げ辺部９２と左右両側の立ち上げ辺部９３とで囲まれて構成される矩形状の後部開口（入口）９５ａから中間板部９０と左右の両辺部９１との間の開口９５に各ガイドレール４９が進入自在となっている。
【００３０】
図１〜図２において、左右のガイドレール４９の支持壁４９ａの外面に沿って操作部５１の左右の可撓性の辺部９１が進退自在である。可撓性の各辺部９１の前半の外面に本係止突起（本係止部又は本係止手段）９６が対称に設けられている。本係止突起９６は前後の傾斜面を有して略三角形状に形成されている。図１の如く本係止突起９６がコネクタハウジング４６の垂直な突条５９を後方に乗り越え、本係止突起９６の前面が突条５９の後面に当接することで、フロントホルダ５０が本係止される。図２においては突条５９をガイドレール４９や操作部５１の後端の立ち上げ辺部９２や保護壁５８やフード部６０等と共に横断面として示している。
【００３１】
図２，図６の如く、コネクタハウジング４６の後半の端子収容部５４の上壁４８と下側の端子収容室５２との間にフロントホルダ５０が挿着される。板状のフロントホルダ５０はコネクタハウジング４６のコネクタ嵌合室９７の上部に設けられた水平なガイド溝９８に沿って挿入される。フロントホルダ５０の前端の基壁９９はコネクタハウジング４６のフード部６０の上壁の後端側において端子収容室５２の前壁１００とほぼ同一面に位置する。端子収容室５２の前壁１００には雄端子１０１のタブ状接触部１０１ａを挿通させる孔部１０２が並列に設けられている。
【００３２】
図３（中間部を切欠して示した図），図６の如く、フロントホルダ５０の二重係止部８７はコネクタハウジング４６の係止ランス１０３の上側の撓み空間１０４に進入して係止ランス１０３の撓みを阻止する。フロントホルダ５０の二重係止部８７は主体部５３の後半において主体部５３の前半よりも薄肉に形成され、主体部５３の後半部分は端子収容室５２の上壁を兼ねて、雄端子１０１のタブ状接触部１０１ａに続く箱状部１０１ｂの前半を保持する。係止ランス１０３は箱状部１０１ｂの後端上部を係止する。係止ランス１０３は端子収容部５４の上壁４８の内面から前方に向けて斜めに突設されている。
【００３３】
図３の如く、フロントホルダ５０の二重係止部８７の左右端の後端から可撓性の仮係止アーム（仮係止部又は仮係止手段）１０５が側端面に沿って前向きに主体部５３の半分程の長さで突設されている。仮係止アーム１０５は側端面に直交した支持部１０５ａと、支持部１０５ａに直交するアーム本体１０５ｂと、アーム本体１０５ｂの前半において外向きに設けられた突起１０５ｃとで構成されている。
【００３４】
図２，図５の如く、コネクタハウジング４６の端子収容部５４の両側壁４７の前半にフード部６０と同じ横幅の壁部１０６が膨出形成され、その壁部１０６の中央に水平な長孔状のスリット部１０７が設けられ、図３の如くスリット部１０７は端子収容部５４内のホルダ収容空間１０８に連通し、スリット部内にフロントホルダ５０の仮係止アーム１０５が突出して位置し、仮係止アーム１０５の突起１０５ｃの前端の係止面がスリット部１０７の前端面（被係止部）１０７ａに当接可能となっている。
【００３５】
フロントホルダ５０の仮係止状態で仮係止アーム１０５の突起１０５ｃがスリット部１０７の前端面１０７ａに当接し、本係止突起９６（図２）が突条５９の前端面に接して位置する。仮係止状態からフロントホルダ５０を後方に押圧することで、図２の本係止突起９６は可撓性の辺部９１と一体に内向きに撓みつつ、突条５９を乗り越えて突条５９の後端面に当接して、フロントホルダ５０の本係止状態を得る。
【００３６】
フロントホルダ５０を仮係止から本係止に移行させるに伴って、図１，図４の如く、操作部５１の中間板部９０が左右一対のガイドレール４９内にスライド式に進入係合し、ガイドレール４９の上側の押え壁４９ｂが中間板部９０の両側部の上方に対向して中間板部９０の浮き上がりを阻止する。操作部５１の左右両側の辺部９１は各ガイドレール４９の支持壁４９ａの外側面に沿って位置する。操作部５１の後端の操作辺部９４はガイドレール４９の上側に突出して位置する。
【００３７】
例えば操作辺部９４に電線（図示せず）が引っ掛かったり、操作辺部９４を後方へ引く、あるいは前方へ押す操作において、すなわちフロントホルダ５０を仮係止から本係止へ移行させる際に操作部５１にこじり力が加わったり、本係止から仮係止へ移行させる際に操作部５１にこじり力が加わったりした場合でも、幅広な中間板部９０がガイドレール内に保持されているから、左右の辺部９１を含めた操作部５１全体の浮き上がりや変形や破損等が防止されると共に、操作部５１が引っ掛かりなく小さな操作力でスムーズにスライド操作される。
【００３８】
図４においてガイドレール４９の押え壁４９ｂの内端に内向きの突起ないし突条を設けた場合には、押え壁４９ｂとハウジング上壁４８との間（ガイド溝５６内）で中間板部９０の上下のガタ付きが一層確実に抑止される。
【００３９】
なお、上記実施形態においては、電線付きの端子１０１をフロントホルダ５０で二重係止させたが、例えば電線を用いない機器直付け型の二重係止コネクタにおいて、機器内のバスバー等に続く端子をフロントホルダ５０で二重係止させることも可能である。
【００４０】
また、コネクタハウジング４６の端子収容室５２の段数やフロントホルダ５０の二重係止部（二重係止板ないし二重係止杆）８７の段数は一段に限らず、二段ないしそれ以上とすることも可能である。この場合は、例えばフロントホルダ５０の前端の基壁９９に複数段に二重係止部８７を突設し、上段の二重係止部８７を含む主体部５３に操作部５１を設ける。
【００４１】
また、フロントホルダ５０の操作部５１の後端の操作辺部９４を中間板部９０の後端のみに設け、左右の可撓性の辺部９１の後端を自由端として、操作辺部９４で囲まれた後部開口９５ａをなくすことも可能である。但しこの場合は、操作辺部９４が短くて操作し難かったり、左右の辺部９１の突起９６の係止力が低下しやすくなる。
【００４２】
また、フロントホルダ５０の係止手段として、仮係止アーム１０５を廃除し、操作部５１の左右の辺部９１に二つの本係止兼仮係止用の突起９６とコネクタハウジング４６の左右の突条５９をそれぞれ前後にずらして配置することも可能である。また、突条５９に代えてコネクタハウジング４６の段差壁等を被係止部として用いることも可能である。また、操作部５１の突起９６を廃除し、例えば係止アーム１０５を両持ち支持で長く形成し、仮係止突起１０５ｃと本係止突起を係止アーム１０５に設け、コネクタハウジング４６に被係止部として仮係止用と本係止用の段部ないし突起等を設けることも可能である。その場合には操作部５１の左右の辺部９１は可撓性とする必要はない。
【００４３】
また、上記実施形態においては、フロントホルダ５０の操作部５１の中間板部９０をコネクタハウジング４６の断面略Ｌ字状のガイドレール４９にスライド係合させたが、例えばフロントホルダ５０の操作部５１に断面略逆Ｌ字状（ガイドレール状）のスライド係合部を設け、コネクタハウジング４６にスライド係合部をスライド係合させるリブないし断面略Ｌ字状のガイド部を設けることも可能である。また、操作部５１の例えば中間板部９０に断面略Ｔ字状の溝部（スライド係合部）を設け、コネクタハウジング４６に溝部をスライド係合させる断面略Ｔ字状の突条（ガイド部）を設けることも可能である。中間板部９０の内面（裏面）に断面Ｔ字状の突条（スライド係合部）を設け、コネクタハウジング４６の上壁４８に隙間の狭い一対のガイドレール（ガイド部）を設けることも可能である。何れの場合もガイド部４９はスライド係合部９０の外側に位置する押え部４９ｂを有し、押え部４９ｂで操作部５１の外向きの変位を阻止する。
【００４４】
また、上記実施形態は雄端子１０１を収容する外観雌型形状のコネクタハウジング４６と、コネクタハウジング４６のコネクタ嵌合室９７に前方から挿着するフロントホルダ５０とを備えたコネクタ４５を対象としているが、例えば雌端子を収容する端子収容室を有する外観雄型形状のコネクタハウジングと、コネクタハウジングの後部開口から装着される合成樹脂製の矩形枠状ないし板状等のリヤホルダ（端子二重係止部材）を備える二重係止コネクタ（図示せず）において、コネクタハウジングの外壁面に設けたガイドレール（４９）の後端を開口させ、リヤホルダの後端側の枠状ないし板状の基壁の上部に操作部（５１）を前向きに突出させて設け、操作部（５１）の後端をリヤホルダに一体に連結し、操作部（５１）の前端側に前部開口を有する前辺部を外向きに突出させて設け、前部開口に続く横長の開口内に中間板部（９０）の両側端を配置し、基壁（９９）から前向きに突出した二重係止部（８７）でコネクタハウジング内の後向きに突出した係止ランス（１０３）の撓みを阻止する構造とすることも可能である。
【００４５】
また、上記実施形態においては、フロントホルダ５０で端子係止用の係止ランス１０３の撓みを阻止する構造としたが、例えば二重係止部材としてリヤホルダを用いた場合は、リヤホルダで端子１０１の段部１０１ｂないし突部を直接係止させる構造とすることも可能である。
【産業上の利用可能性】
【００４６】
本発明に係る二重係止コネクタは、端子二重係止部材の操作部を引っ掛けたりこじったりしても変形や破損をさせることがなく、しかも操作部の移動操作をスムーズ且つ確実に行わせるために利用することができる。
【符号の説明】
【００４７】
４５            二重係止コネクタ
４６            コネクタハウジング
４８            上壁（外壁）
４９            ガイドレール（ガイド部）
４９ｂ          押え壁（押え部）
５０            フロントホルダ（端子二重係止部材）
５１            操作部
５３            主体部
５９            係止用の突条（被係止部）
９０            中間板部（板部又はスライド係合部）
９０ａ，９１ａ  立ち上げ辺部
９１            左右の辺部
９２，９３      立ち上げ辺部
９４            操作辺部
９５ａ          後部開口（入口）
９６            突起（係止部）
【図１】
2010272535.tif 000003
【図２】
2010272535.tif 000004
【図３】
2010272535.tif 000005
【図４】
2010272535.tif 000006
【図５】
2010272535.tif 000007
【図６】
2010272535.tif 000008
【図７】
2010272535.tif 000009
【図８】
2010272535.tif 000010
【図９】
2010272535.tif 000011
【図１０】
2010272535.tif 000012